(57)【要約】【課題】電子機器のアドレス設定作業に関する作業負担および作業コストを低減する。【解決手段】ロータリーエンコーダ１２の回転軸と機械的に連結されて、ロータリーエンコーダ１２での回転操作に応じて発電する静電誘導型発電素子１３を設け、静電誘導型発電素子１３からの発電電圧Ｖｇを整流回路ＤＢで整流し動作電源として電源ラインＰＬへ供給して蓄電回路Ｃで蓄電し、制御回路１８が、電源ラインＰＬに供給された動作電源で動作し、ロータリーエンコーダ１２の検出出力Ｄ１，Ｄ２に基づいてアドレスの値を設定する。【選択図】  図１
2019205020.tif 000002
【特許請求の範囲】
【請求項１】
予め設定されているアドレスを用いることにより、通信回線を介してデータ通信を行う電子機器であって、
回転操作を検出して出力するロータリーエンコーダと、
前記ロータリーエンコーダの回転軸と機械的に連結されて、前記ロータリーエンコーダでの回転操作に応じて発電する静電誘導型発電素子と、
前記静電誘導型発電素子からの発電電圧を整流し動作電源として電源ラインへ供給する整流回路と、
前記電源ラインに供給された前記動作電源を蓄電する蓄電回路と、
前記電源ラインに供給された前記動作電源で動作し、前記ロータリーエンコーダの検出出力に基づいて前記アドレスの値を設定する制御回路と
を備えることを特徴とする電子機器。
【請求項２】
請求項１に記載の電子機器において、
前記制御回路は、プッシュスイッチの押下に応じて、前記ロータリーエンコーダの検出出力から計算した入力値を対象桁の桁値として確定するとともに前記対象桁を順にシフトし、すべての対象桁の桁値が確定した場合、これら桁値を連結して前記アドレスに設定する
ことを特徴とする電子機器。
【請求項３】
請求項２に記載の電子機器において、
前記制御回路は、前記回転操作に応じて前記ロータリーエンコーダから出力される検出出力ごとに、前記検出出力が示す回転方向に応じて、前記入力値を初期値から増減するとともに、前記入力値を所定の範囲内で循環させることにより入力値を計算することを特徴とする電子機器。
【請求項４】
請求項２または請求項３に記載の電子機器において、
前記制御回路は、前記ロータリーエンコーダの検出出力から計算した入力値を表示器で表示することを特徴とする電子機器。
【請求項５】
請求項１〜請求項４のいずれかに記載の電子機器において、
通電時には商用電源から直流電圧を生成し前記動作電源として前記電源ラインへ供給する電源回路をさらに備えることを特徴とする電子機器。
【請求項６】
予め設定されているアドレスを用いることにより、通信回線を介してデータ通信を行う電子機器で用いられるアドレス設定方法であって、
ロータリーエンコーダが、回転操作を検出して出力する検出ステップと、
静電誘導型発電素子が、前記ロータリーエンコーダの回転軸と機械的に連結されて、前記ロータリーエンコーダでの回転操作に応じて発電する発電ステップと、
整流回路が、前記静電誘導型発電素子からの発電電圧を整流し動作電源として電源ラインへ供給する整流ステップと、
蓄電回路が、前記電源ラインに供給された前記動作電源を蓄電する蓄電ステップと、
制御回路が、前記電源ラインに供給された前記動作電源で動作し、前記ロータリーエンコーダの検出出力に基づいて前記アドレスの値を設定する設定ステップと
を備えることを特徴とするアドレス設定方法。
【発明の詳細な説明】
【技術分野】
【０００１】
本発明は、データ通信用のアドレスを電子機器に設定するためのアドレス設定技術に関する。
【背景技術】
【０００２】
空調制御システムや産業用制御システムなどの機器管理システムでは、これら端末機器やコントローラなどの電子機器に対して、それぞれの階層において識別可能なアドレスを予め設定し、このアドレスに基づいて電子機器間で通信回線を介したデータ通信が行われる。
したがって、新たな電子機器を設置する場合には、その電子機器に対してアドレスを設定する作業が必要となる。
【０００３】
新たな電子機器を設置してアドレスを設定する際、電子機器が接続される盤に電源が供給されていない場合、盤から電子機器に対しても電源を供給できないため、結果として電子機器を起動できない。このため、電子機器に対してアドレスを設定できず、電源が供給されるまで電子機器に関する調整作業ができず作業効率が低下する原因となる。また、ロータリースイッチなどのメカニカルスイッチを電子機器に搭載することでアドレス設定自体は可能であるが、アドレスの桁数に合わせて複数のメカニカルスイッチを搭載する必要があり、電子機器の大型化やコストアップの要因にもなる。
【０００４】
従来、このような電子機器のアドレスを設定する技術として、近距離無線通信（Near field radio communication；ＮＦＣ）を用いて、電源給電がなされていない状態であっても、アドレス設定ツールから対象となる電子機器に対して、アドレス設定動作に必要な動作電源を無線給電した状態で、アドレスを設定する方法が提案されている（例えば、特許文献１など参照）。これにより、電子機器に対して電源が供給されていなくても、アドレスを設定することができる。
【先行技術文献】
【特許文献】
【０００５】
【特許文献１】特開２０１７−１４３３２７号公報
【発明の概要】
【発明が解決しようとする課題】
【０００６】
しかしながら、このような従来技術では、電子機器に対してアドレスを設定する際、電子機器に動作電源を無線給電する専用のアドレス設定ツールを用意して、電子機器が設置される現場まで持ち歩く必要がある。このため、電子機器のアドレス設定作業に関する、作業負担および作業コストが増大するという問題点があった。
【０００７】
本発明はこのような課題を解決するためのものであり、電子機器のアドレス設定作業に関する作業負担および作業コストを低減できるアドレス設定技術を提供することを目的としている。
【課題を解決するための手段】
【０００８】
このような目的を達成するために、本発明にかかる電子機器は、予め設定されているアドレスを用いることにより、通信回線を介してデータ通信を行う電子機器であって、回転操作を検出して出力するロータリーエンコーダと、前記ロータリーエンコーダの回転軸と機械的に連結されて、前記ロータリーエンコーダでの回転操作に応じて発電する静電誘導型発電素子と、前記静電誘導型発電素子からの発電電圧を整流し動作電源として電源ラインへ供給する整流回路と、前記電源ラインに供給された前記動作電源を蓄電する蓄電回路と、前記電源ラインに供給された前記動作電源で動作し、前記ロータリーエンコーダの検出出力に基づいて前記アドレスの値を設定する制御回路とを備えている。
【０００９】
また、本発明にかかる上記電子機器の一構成例は、前記制御回路が、プッシュスイッチの押下に応じて、前記ロータリーエンコーダの検出出力から計算した入力値を対象桁の桁値として確定するとともに前記対象桁を順にシフトし、すべての対象桁の桁値が確定した場合、これら桁値を連結して前記アドレスに設定するようにしたものである。
【００１０】
また、本発明にかかる上記電子機器の一構成例は、前記制御回路が、前記回転操作に応じて前記ロータリーエンコーダから出力される検出出力ごとに、前記検出出力が示す回転方向に応じて、前記入力値を初期値から増減するとともに、前記入力値を所定の範囲内で循環させることにより入力値を計算するようにしたものである。
【００１１】
また、本発明にかかる上記電子機器の一構成例は、前記制御回路が、前記ロータリーエンコーダの検出出力から計算した入力値を表示器で表示するようにしたものである。
【００１２】
また、本発明にかかる上記電子機器の一構成例は、通電時には商用電源から直流電圧を生成し前記動作電源として前記電源ラインへ供給する電源回路をさらに備えている。
【００１３】
また、本発明にかかるアドレス設定方法は、予め設定されているアドレスを用いることにより、通信回線を介してデータ通信を行う電子機器で用いられるアドレス設定方法であって、ロータリーエンコーダが、回転操作を検出して出力する検出ステップと、静電誘導型発電素子が、前記ロータリーエンコーダの回転軸と機械的に連結されて、前記ロータリーエンコーダでの回転操作に応じて発電する発電ステップと、整流回路が、前記静電誘導型発電素子からの発電電圧を整流し動作電源として電源ラインへ供給する整流ステップと、蓄電回路が、前記電源ラインに供給された前記動作電源を蓄電する蓄電ステップと、制御回路が、前記電源ラインに供給された前記動作電源で動作し、前記ロータリーエンコーダの検出出力に基づいて前記アドレスの値を設定する設定ステップとを備えている。
【発明の効果】
【００１４】
本発明によれば、ロータリーエンコーダでの回転操作に応じて静電誘導型発電素子で発電された動作電源により制御回路が動作して、アドレスが設定されることになる。このため、従来のように、電子機器に動作電源を無線給電する専用のアドレス設定ツールを用意して、電子機器が設置される現場まで持ち歩く、という必要がなくなる。したがって、電子機器のアドレス設定作業に関する作業負担および作業コストを低減することが可能となる。
【図面の簡単な説明】
【００１５】
【図１】電子機器の構成を示すブロック図である。
【図２】ロータリーエンコーダの検出出力を示すタイミングチャートである。
【図３】アドレス設定処理を示すフローチャートである。
【図４】３桁目の桁値設定例である。
【図５】１２桁目（最終桁）の桁値設定例である。
【発明を実施するための形態】
【００１６】
次に、本発明の一実施の形態について図面を参照して説明する。
［電子機器］
まず、図１を参照して、本実施の形態にかかる電子機器１０について説明する。図１は、電子機器の構成を示すブロック図である。
この電子機器１０は、予め設定されているアドレスを用いることにより、通信回線Ｌを介してデータ通信を行う電子機器であり、具体例としては、空調制御システムや産業用制御システムなどの機器管理システムで用いられる端末機器やコントローラがある。
【００１７】
図１に示すように、電子機器１０は、主な回路部として、電源回路１１、電源ラインＰＬ、ロータリーエンコーダ１２、静電誘導型発電素子１３、整流回路ＤＢ、蓄電回路Ｃ、プッシュスイッチ１４、表示器１５、記憶回路１６、通信回路１７、および制御回路１８を備えている。
【００１８】
電源回路１１は、通電時、商用電源ＡＣから直流電圧Ｖｃを生成し、出力端子Ｖ＋，Ｖ−から一対の電源ラインＰＬへ出力する機能を有している。
ロータリーエンコーダ１２は、回転操作を検出して出力する機能を有している。
静電誘導型発電素子１３は、エレクトレット（electret）の静電誘導を利用して発電する素子からなり、シャフトＳを介してロータリーエンコーダ１２の回転軸と機械的に連結されて、ロータリーエンコーダ１２での回転操作に応じて発電する機能を有している。
【００１９】
図２は、ロータリーエンコーダの検出出力を示すタイミングチャートである。ロータリーエンコーダ１２は、２つの検出出力Ｄ１，Ｄ２を有しており、一定角度分だけ回転操作されるごとにＤ１，Ｄ２から１パルス分を出力する。この際、Ｄ１，Ｄ２は、回転方向に応じて出力されるタイミングが前後する。
【００２０】
図２の例では、例えば時刻Ｔ１にＤ１がＨレベルからＬレベルに立下がった後、続く時刻Ｔ２にＤ２がＨレベルからＬレベルに立下がっている。これは、ロータリーエンコーダ１２が左回転（時計と逆回転）に操作されたことを示している。
一方、例えば時刻Ｔ３にＤ２がＨレベルからＬレベルに立下がった後、続く時刻Ｔ４にＤ１がＨレベルからＬレベルに立下がっている。これは、ロータリーエンコーダ１２が右回転（時計と同回転）に操作されたことを示している。
【００２１】
ここで、アドレスＡＤＲの任意の対象桁の入力値を選択する場合、ロータリーエンコーダ１２を右回転させた場合には入力値Ｎを１だけ増加させ、左回転させた場合には入力値Ｎを１だけ減少させるものと定義する。したがって、時刻Ｔ１，Ｔ２のケースでは、Ｎ＝Ｎ−１を計算することにより入力値Ｎをデクリメントし、時刻Ｔ３，Ｔ４のケースでは、Ｎ＝Ｎ＋１を計算することにより入力値Ｎをインクリメントすればよい。なお、右回転でＮデクリメントし左回転でＮをインクリメントしてもよい。
【００２２】
整流回路ＤＢは、ダイオードブリッジなどの一般的な整流素子を有し、静電誘導型発電素子１３からの発電電圧Ｖｇを整流し動作電源として一対の電源ラインＰＬへ供給する機能を有している。
蓄電回路Ｃは、コンデンサなどの一般的な蓄電素子を有し、電源ラインＰＬに供給された動作電源を蓄電する機能を有している。
【００２３】
プッシュスイッチ１４は、一般的なスイッチからなり、押下操作を検出する機能を備えている。
表示器１５は、例えば７セグメントＬＥＤ（ＬＣＤ）表示器などのセグメント表示器を有し、制御回路１８から出力された値を表示する機能を有している。
記憶回路１６は、半導体メモリなどの記憶装置からなり、データ通信に用いるアドレスＡＤＲどの各種処理データを記憶する機能を有している。
通信回路１７は、通信回線Ｌを介して他の機器との間でデータ通信を行う機能を有している。
【００２４】
制御回路１８は、電源ラインＰＬを介して電源端子Ｖｃｃ，ＧＮＤに供給された動作電源に応じて起動する機能と、電子機器１０全体の動作を制御する機能と、電源ラインＰＬに供給された動作電源で動作し、ロータリーエンコーダ１２の検出出力Ｄ１，Ｄ２に基づいてアドレスの値を設定する機能とを有している。なお、制御回路１８は、論理回路や順序回路の組み合わせで構成してもよく、ＣＰＵとプログラムとを協働させる構成してもよい。
【００２５】
具体的には、制御回路１８は、プッシュスイッチ１４の押下に応じて、ロータリーエンコーダ１２の検出出力Ｄ１，Ｄ２から計算した入力値Ｎを対象桁Ｋの桁値Ａ（Ｋ）として確定するとともに対象桁Ｋを順にシフトし、すべての対象桁Ｋの桁値Ａが確定した場合、これら桁値を連結してアドレスＡＤＲに設定する機能を有している。
【００２６】
また、制御回路１８は、回転操作に応じてロータリーエンコーダ１２から出力される検出出力Ｄ１，Ｄ２ごとに、検出出力Ｄ１，Ｄ２が示す回転方向に応じて、入力値Ｎを初期値から増減するとともに、入力値Ｎを所定の範囲内で循環させることにより入力値Ｎを計算する機能を有している。
【００２７】
［本実施の形態の動作］
次に、図３を参照して、本実施の形態にかかる電子機器１０のアドレス設定動作について説明する。図３は、アドレス設定処理を示すフローチャートである。
停電時、アドレス設定時、任意の桁値を設定するため、ロータリーエンコーダ１２が回転操作されることにより、静電誘導型発電素子１３からの発電電圧Ｖｇが整流回路ＤＢで整流され、電源ラインＰＬを介して蓄電回路Ｃに蓄電され、制御回路１８が起動される。これにより、制御回路１８は、アドレス設定時、図３のアドレス設定処理を実行する。なお、通電時には、電源回路１１からの直流電圧Ｖｃが、整流回路ＤＢからの出力電圧より高く設定されているため、Ｖｃが電源ラインＰＬを介して制御回路１８に供給される。
【００２８】
ここでは、アドレスＡＤＲがＩＰアドレスであって、０〜９の数値（１０進数）をとる１２桁の桁値から構成されているものとする。なお、ＡＤＲはこれに限定されるものではなく、例えば０〜９，Ａ，Ｂ，Ｃ，Ｄ，Ｅ，Ｆの数値（１６進数）をとる１２桁の桁値から構成されているＭＡＣアドレスを設定する場合にも同様にして適用可能である。
【００２９】
まず、制御回路１８は、ＡＤＲの各桁Ｋ（Ｋ＝０〜１１の整数）の桁値Ａ（Ｋ）、入力値Ｎ、対象桁Ｋをゼロクリアする（ステップＳ１００）。
次に、制御回路１８は、ロータリーエンコーダ１２の検出出力Ｄ１，Ｄ２を監視し（ステップＳ１０１）、Ｄ１，Ｄ２の立下がりを検出した場合（ステップＳ１０１：ＹＥＳ）、Ｄ１とＤ２の立下がりタイミングの前後関係を確認する（ステップＳ１０２）。
【００３０】
ここで、Ｄ１よりＤ２の立下がりが後である場合（ステップＳ１０２：ＹＥＳ）、制御回路１８は、前述した図２の例から、ロータリーエンコーダ１２が左回りに操作されたと判定し、現在の入力値Ｎをデクリメント（Ｎ＝Ｎ−１）する（ステップＳ１０３）。
一方、Ｄ１よりＤ２の立下がりが前である場合（ステップＳ１０２：ＮＯ）、制御回路１８は、前述した図２の例から、ロータリーエンコーダ１２が右回りに操作されたと判定し、現在の入力値Ｎをインクリメント（Ｎ＝Ｎ＋１）する（ステップＳ１０４）。
【００３１】
この後、制御回路１８は、入力値Ｎが値範囲０〜９を超えたかどうかチェックし、Ｎが０を下回った場合はＮを９に循環させ、Ｎが９を上回った場合にはＮを０に循環させる（ステップＳ１０５）。
続いて、制御回路１８は、新たに計算したＮを表示器１５で表示した後、（ステップＳ１０６）、ステップＳ１０１へ戻る。
【００３２】
一方、ステップＳ１０１において、Ｄ１，Ｄ２の立下がりが検出されなかった場合（ステップＳ１０１：ＮＯ）、制御回路１８は、プッシュスイッチ１４の押下を確認する（ステップＳ１１０）。
ここで、プッシュスイッチ１４の押下を確認した場合（ステップＳ１１０：ＹＥＳ）、制御回路１８は、対象桁Ｋの桁値Ａ（Ｋ）に入力値Ｎを設定し（ステップＳ１１１）、入力値Ｎをゼロクリアする（ステップＳ１１２）。
この後、制御回路１８は、全桁値の設定が完了したか確認し（ステップＳ１１３）、未設定の桁値が存在する場合（ステップＳ１１３：ＮＯ）、対象桁Ｋをシフト（Ｋ＝Ｋ＋１）させた後（ステップＳ１１４）、ステップＳ１０１へ戻る。
【００３３】
一方、全桁値の設定が完了した場合（ステップＳ１１３：ＹＥＳ）、制御回路１８は、全桁値Ａ（０）〜Ａ（９）を連結した値を記憶回路１６のアドレスＡＤＲに設定し（ステップＳ１１５）、一連のアドレス設定処理を終了する。
【００３４】
［動作例］
次に、図４および図５を参照して、アドレス設定動作の動作例について説明する。
図４は、３桁目の桁値設定例である。図５は、１２桁目（最終桁）の桁値設定例である。
【００３５】
まず、図４に示すように、時刻Ｔ１０に、対象桁Ｋ＝２となった場合、３桁目の桁値Ａ（３）が設定対象桁として選択され、入力値Ｎおよび桁値Ａ（２）はともにゼロクリアされている。なお、時刻Ｔ１０より前の操作で、先頭桁から２桁目までの桁値が「１９」に設定されているものとする。
【００３６】
次の時刻Ｔ１１に、ロータリーエンコーダ１２の検出出力Ｄ１，Ｄ２から右回りが検出された場合、Ｎがインクリメントされて「１」となる。
同じく次の時刻Ｔ１２に、ロータリーエンコーダ１２の検出出力Ｄ１，Ｄ２から右回りが検出された場合、Ｎがインクリメントされて「２」となる。
【００３７】
この後、時刻Ｔ１３に、プッシュスイッチ１４が押下された場合、その時点におけるＮが桁値Ａ（２）に設定される。
これにより、先頭桁から３桁目までの桁値が「１９２」に設定されたことになる。
【００３８】
次に、図５に示すように、時刻Ｔ２０に、対象桁Ｋ＝１１（最終桁）となった場合、１２桁目の桁値Ａ（１１）が設定対象桁として選択され、入力値Ｎおよび桁値Ａ（１１）はともにゼロクリアされている。なお、時刻Ｔ２０より前の操作で、先頭桁から１０桁目までの桁値が「１９２１６８００１１０」に設定されているものとする。
【００３９】
次の時刻Ｔ２１に、ロータリーエンコーダ１２の検出出力Ｄ１，Ｄ２から左回りが検出された場合、Ｎがデクリメントされて「９」となる。
同じく次の時刻Ｔ２２に、ロータリーエンコーダ１２の検出出力Ｄ１，Ｄ２から左回りが検出された場合、Ｎがデクリメントされて「８」となる。
同じく次の時刻Ｔ２３に、ロータリーエンコーダ１２の検出出力Ｄ１，Ｄ２から左回りが検出された場合、Ｎがデクリメントされて「７」となる。
【００４０】
この後、時刻Ｔ２４に、プッシュスイッチ１４が押下された場合、その時点におけるＮが桁値Ａ（１１）に設定される。
これにより、先頭桁から最終桁までの桁値が「１９２１６８００１１０７」に設定されたことになる。ここで、全桁値の設定が完了したことから、これら全桁値が連結された値「１９２１６８００１１０７」がアドレスＡＤＲに設定されることになる。
【００４１】
［本実施の形態の効果］
このように、本実施の形態は、ロータリーエンコーダ１２の回転軸と機械的に連結されて、ロータリーエンコーダ１２での回転操作に応じて発電する静電誘導型発電素子１３を設け、静電誘導型発電素子１３からの発電電圧Ｖｇを整流回路ＤＢで整流し動作電源として電源ラインＰＬへ供給して蓄電回路Ｃで蓄電し、制御回路１８が、電源ラインＰＬに供給された動作電源で動作し、ロータリーエンコーダ１２の検出出力Ｄ１，Ｄ２に基づいてアドレスの値を設定するようにしたものである。
【００４２】
これにより、ロータリーエンコーダ１２での回転操作に応じて静電誘導型発電素子１３で発電された動作電源により制御回路１８が動作して、アドレスが設定されることになる。このため、従来のように、電子機器に動作電源を無線給電する専用のアドレス設定ツールを用意して、電子機器が設置される現場まで持ち歩く、という必要がなくなる。したがって、電子機器１０のアドレス設定作業に関する作業負担および作業コストを低減することが可能となる。
【００４３】
また、本実施の形態において、制御回路１８が、プッシュスイッチ１４の押下に応じて、ロータリーエンコーダ１２の検出出力Ｄ１，Ｄ２から計算した入力値Ｎを対象桁Ｋの桁値Ａ（Ｋ）として確定するとともに対象桁Ｋを順にシフトし、すべての対象桁の桁値が確定した場合、これら桁値を連結してアドレスＡＤＲに設定するようにしてもよい。
これにより、１つのロータリーエンコーダ１２と１つのプッシュスイッチ１４を設けるだけで複数桁のアドレスＡＤＲを容易に設定することが可能となる。
【００４４】
また、本実施の形態において、制御回路１８が、回転操作に応じてロータリーエンコーダ１２から出力される検出出力Ｄ１，Ｄ２ごとに、検出出力Ｄ１，Ｄ２が示す回転方向に応じて、入力値Ｎを初期値から増減するとともに、入力値Ｎを所定の範囲内で循環させることにより入力値Ｎを計算するようにしてもよい。
これにより、ロータリーエンコーダ１２の回転操作に応じて、いずれか一方向に増加または減少させる場合と比較して、少ない回転操作で所望の入力値Ｎを選択することができる。
【００４５】
また、本実施の形態において、制御回路１８が、ロータリーエンコーダ１２の検出出力Ｄ１，Ｄ２から計算した入力値Ｎを表示器１５で表示するようにしてもよい。これにより、ロータリーエンコーダ１２の回転操作中、現在の入力値Ｎを目視で確認することが可能となる。
【００４６】
また、本実施の形態において、電源回路１１が、通電時には商用電源ＡＣから直流電圧Ｖｃを生成し動作電源として電源ラインＰＬへ供給するようにしてもよい。これにより、制御回路１８は、通電時と停電時の両方で、同様のアドレス設定動作を行うことができ、アドレス設定に必要となる構成の規模を削減できる。
【００４７】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００４８】
１０…電子機器、１１…電源回路、１２…ロータリーエンコーダ、１３…静電誘導型発電素子、１４…プッシュスイッチ、１５…表示器、１６…記憶回路、１７…通信回路、１８…制御回路、ＰＬ…電源ライン、ＤＢ…整流回路、Ｃ…蓄電回路、Ｖｇ…発電電圧、Ｖｃ…直流電圧、ＡＣ…商用電源、Ｌ…通信回線、Ｓ…シャフト、Ｄ１，Ｄ２…検出出力、Ｋ…対象桁、Ｎ…入力値、Ａ（Ｋ）…桁値、ＡＤＲ…アドレス。
【図１】
2019205020.tif 000003
【図２】
2019205020.tif 000004
【図３】
2019205020.tif 000005
【図４】
2019205020.tif 000006
【図５】
2019205020.tif 000007